(57)【特許請求の範囲】
【請求項１】
通信接続された１のリモコンと他のリモコンとがそれぞれマイクとスピーカを備え、これらリモコン間で音声通話ができるようにされたリモコンシステムであって、
前記１のリモコンに音楽再生装置から出力されるオーディオ信号を入力するための音楽入力端子が備えられ、この音楽入力端子に入力されるオーディオ信号が前記音声通話機能を利用して前記他のリモコンのスピーカから出力できるようになっているリモコンシステムにおいて、
前記１のリモコンは、当該１のリモコンに備えられた操作スイッチの隠し蓋の開閉を検知する蓋開閉検知手段を備えてなり、
この蓋開閉検知手段によって前記隠し蓋が開かれたことを検知した場合には、前記スピーカからのオーディオ信号の出力を停止させる制御構成を備えた
ことを特徴とするリモコンシステム。
【請求項２】
前記スピーカからのオーディオ信号の出力停止中において、前記蓋開閉検知手段によって前記隠し蓋が閉じられたことを検知した場合には、前記スピーカからのオーディオ信号の出力停止を解除する制御構成を備えた
ことを特徴とする請求項１に記載のリモコンシステム。
【請求項３】
前記スピーカからのオーディオ信号の出力停止中において、前記蓋開閉検知手段が前記隠し蓋が開かれたことを検知してから所定時間が経過しても前記隠し蓋が閉じられたことを検知しない場合には、前記スピーカからのオーディオ信号の出力停止を解除する制御構成を備えた
ことを特徴とする請求項１または２に記載のリモコンシステム。
【請求項４】
前記１のリモコンに、前記音楽再生装置から入力されるオーディオ信号を遮断する信号遮断手段が備えられており、
前記スピーカからのオーディオ信号の出力停止は、この信号遮断手段を動作させることによって行われる
ことを特徴とする請求項１から３のいずれかに記載のリモコンシステム。
【発明の詳細な説明】
【技術分野】
【０００１】
この発明はリモコンシステムに関し、より詳細には、リモコン同士の音声通話機能を利用して、１のリモコンに入力された音楽再生装置からのオーディオ信号を他のリモコンのスピーカから出力できるようになっているリモコンシステムに関する。
【背景技術】
【０００２】
従来、浴槽への湯張りや風呂の追い焚きなどのいわゆる風呂機能を備えた給湯装置には、その遠隔操作装置として、浴室に設置される浴室リモコン（いわゆる風呂リモコン）と、台所などの浴室以外の場所に設置される浴室外リモコン（いわゆる台所リモコン）とが備えられている。
【０００３】
このような風呂リモコンと台所リモコンとを有するリモコンシステムは、各リモコンが給湯装置のコントローラ（制御部）と通信ケーブルで接続されており、リモコンの操作に応じて各リモコンで生成される制御信号が上記通信ケーブルを介して給湯装置のコントローラに与えられることによって給湯装置の遠隔操作ができるようになっている。
【０００４】
ところで、このようなリモコンシステムでは、風呂リモコンと台所リモコンとが給湯装置を介して相互に通信可能になっており、風呂リモコンで操作された内容が台所リモコンに反映される（たとえば、風呂リモコンで設定された給湯設定温度が台所リモコンにおいても給湯設定温度として設定・表示される）一方、台所リモコンで操作された内容も風呂リモコンに反映される（たとえば、台所リモコンで設定された給湯設定温度が風呂リモコンに給湯設定温度として設定・表示される）ようになっている。
【０００５】
近年、このような風呂リモコンと台所リモコンの通信機能を利用して、各リモコンにマイク（マイクロフォン）とスピーカを設けておき、風呂リモコンと台所リモコンとの間で音声通話ができるようにしたもの（音声通話機能付きのリモコンシステム）がある。また最近では、このような音声通話機能を利用して、台所リモコンに音楽再生装置を接続する接続端子を設けておき、この接続端子に入力される音楽再生装置からのオーディオ信号を風呂リモコンに送信して、風呂リモコンのスピーカを通じて音楽再生装置で再生された音楽を聴取できるようにしたもの（ＢＧＭ機能付きのリモコンシステム）が提案されている（たとえば、特許文献１参照）。
【０００６】
また、台所リモコンや風呂リモコンは、近年の多機能化によって操作可能な事項が増加する傾向にある一方で、小型化やデザイン上の要請から、正面のパネルに開閉自在の蓋（隠し蓋）を設けて、この隠し蓋の下にも押しボタン式の操作スイッチを配設するものが提案されている（たとえば、特許文献２参照）。
【先行技術文献】
【特許文献】
【０００７】
【特許文献１】特開２００２−２７７０５０号公報
【特許文献２】特開２００５−３０２３５７号公報の図２
【発明の概要】
【発明が解決しようとする課題】
【０００８】
しかしながら、このような従来の構成には以下のような問題があり、その改善が望まれていた。
【０００９】
すなわち、上述したＢＧＭ機能を有するリモコンシステムにおいて、たとえば、台所リモコンに上述した隠し蓋が設けられているような場合、この台所リモコンに音楽再生装置を接続して音楽再生を行っている状態で、上記隠し蓋を開いてその下の操作スイッチを押下げ操作すると、この操作によって台所リモコンの筐体がわずかではあるがたわんでしまい、そのために台所リモコンと音楽再生装置の接続部分が接触不良を起こして、風呂リモコンのスピーカから出力される音楽に雑音が混ざって、ユーザが不快な思いをすることがあった。
【００１０】
具体的には、通常、この種のリモコンにおいて、音楽再生装置を接続する接続端子にはフォンジャックが好適に採用され、音楽再生装置と台所リモコンとの接続は、このフォンジャックに音楽再生装置からオーディオ信号を出力するための電装線に設けられたフォンプラグを差し込んで行っているので、リモコンの筐体がたわんでしまうと、このプラグとジャックの結合がズレたり緩んだりする結果、台所リモコンに入力されるオーディオ信号にノイズが乗って、風呂リモコンのスピーカから出力される音楽に耳障りな雑音が混ざってしまうことがあった。
【００１１】
本発明は、このような問題点に鑑みてなされたものであって、その目的とするところは、リモコン同士の音声通話機能を利用して１のリモコンに接続した音楽再生装置から出力されるオーディオ信号を他のリモコンのスピーカから出力できるようにしたリモコンシステムにおいて、スピーカから出力される音楽にリモコン操作に伴う不快な雑音が混ざるのを防止できるリモコンシステムを提供することにある。
【課題を解決するための手段】
【００１２】
上記目的を達成するため、本発明に係るリモコンシステムは、通信接続された１のリモコンと他のリモコンとがそれぞれマイクとスピーカを備え、これらリモコン間で音声通話ができるようにされたリモコンシステムであって、上記１のリモコンに音楽再生装置から出力されるオーディオ信号を入力するための音楽入力端子が備えられ、この音楽入力端子に入力されるオーディオ信号が上記音声通話機能を利用して上記他のリモコンのスピーカから出力できるようになっているリモコンシステムにおいて、上記１のリモコンは、当該１のリモコンに備えられた操作スイッチの隠し蓋の開閉を検知する蓋開閉検知手段を備えてなり、この蓋開閉検知手段によって上記隠し蓋が開かれたことを検知した場合には、上記スピーカからのオーディオ信号の出力を停止させる制御構成を備えたことを特徴とする。
【００１３】
ここで、「上記スピーカからのオーディオ信号の出力を停止させる制御」とは、音楽再生装置での音楽再生を停止させることなく、上記１のリモコンまたは上記他のリモコンの制御によって、他のリモコンのスピーカから出力されていた音楽を停止させる制御を意味する。
【００１４】
すなわち、本発明に係るリモコンシステムは、音楽再生装置が接続される１のリモコンにおいて、操作スイッチを隠す隠し蓋が開かれると、その後に１のリモコンの筐体がたわむ原因となる操作スイッチの押下げ操作が行われることが予想されるので、当該隠し蓋が開かれたことを検知した時点で、リモコンシステム内の制御によって、他のリモコンのスピーカから発せられる音楽（オーディオ信号の出力）を停止させるようにしている。そのため、本発明のリモコンシステムでは、１のリモコンの隠し蓋の下にある操作スイッチが押下げ操作されても、その時点では既にスピーカからの音楽の出力は停止しているので、ユーザは雑音が混じった不快な音を聞かなくてすむ。
【００１５】
また、本発明の請求項２に記載のリモコンシステムは、請求項１に記載のリモコンシステムにおいて、上記スピーカからのオーディオ信号の出力停止中において、上記蓋開閉検知手段によって上記隠し蓋が閉じられたことを検知した場合には、上記スピーカからのオーディオ信号の出力停止を解除する制御構成を備えたことを特徴とする。
【００１６】
この請求項２に係るリモコンシステムでは、上記１のリモコンの隠し蓋が開かれたことに伴って上記他のリモコンのスピーカによる音楽出力を停止している状態で、上記隠し蓋が閉じられた場合には、その後に隠し蓋で隠された操作スイッチが操作される可能性は低いので、当該隠し蓋が閉じられたことを検知した時点で、他のリモコンのスピーカからの音楽の出力を再開するようにしている。そのため、隠し蓋で隠された操作スイッチの操作が完了して隠し蓋が元通り閉じられると、自動的に他のリモコンからの音楽出力が再開される。
【００１７】
また、本発明の請求項３に記載のリモコンシステムは、請求項１または２に記載のリモコンシステムにおいて、上記スピーカからのオーディオ信号の出力停止中において、上記蓋開閉検知手段が上記隠し蓋が開かれたことを検知してから所定時間が経過しても上記隠し蓋が閉じられたことを検知しない場合には、上記スピーカからのオーディオ信号の出力停止を解除する制御構成を備えたことを特徴とする。
【００１８】
すなわち、この請求項３に係るリモコンシステムでは、上記１のリモコンの隠し蓋が開かれたことに伴って上記他のリモコンのスピーカによる音楽出力を停止している状態で、上記隠し蓋が閉じ忘れなどによって閉じられないまま所定時間を超えて放置された場合には、隠し蓋の閉じ忘れであるとみなして、他のリモコンのスピーカからの音楽の出力を再開するようにしている。そのため、隠し蓋で隠された操作スイッチの操作が完了し、隠し蓋が閉じられないまま放置されていても、所定時間が経過することによって自動的に他のリモコンからの音楽出力が再開される。
【００１９】
また、本発明の請求項４に記載のリモコンシステムは、請求項１から３のいずれかに記載のリモコンシステムにおいて、上記１のリモコンに、上記音楽再生装置から入力されるオーディオ信号を遮断する信号遮断手段が備えられており、上記スピーカからのオーディオ信号の出力停止は、この信号遮断手段を動作させることによって行われることを特徴とする。
【００２０】
すなわち、この請求項４に係るリモコンシステムでは、上述した「上記スピーカからのオーディオ信号の出力を停止させる制御」を行う手段として、上記１のリモコンに音楽再生装置から入力されるオーディオ信号を遮断する信号遮断手段を設けている。そして、他のリモコンのスピーカから発せられる音楽を停止させるにあたって、１のリモコン側で音楽の送信を停止するようにしている。
【発明の効果】
【００２１】
本発明によれば、音楽再生装置が接続される１のリモコンにおいて、操作スイッチを隠す隠し蓋が開かれたことを検知した時点で、リモコンシステム内の制御によって、他のリモコンのスピーカからのオーディオ信号の出力を停止させるようになっているので、１のリモコンの隠し蓋を開いてその下にある操作スイッチが操作されても、その時点では既にスピーカからの音楽の出力は停止しているので、ユーザは雑音が混じった不快な音を聞かなくてすみ、音楽再生装置で再生される音楽を気持ちよく聴取することができる。
【図面の簡単な説明】
【００２２】
【図１】本発明に係るリモコンシステムの概略構成の一例を示す説明図である。
【図２】同リモコンシステムにおける音声通話機能並びにＢＧＭ機能の概要を示すリモコンシステムの概略構成図である。
【図３】同リモコンシステムの台所リモコンにおける音楽入力端子とインターホン通信回路の接続例を示す回路図である。
【図４】同台所リモコンにおけるＢＧＭ機能の処理手順の一例を示すフローチャートである。
【発明を実施するための形態】
【００２３】
以下、本発明の実施形態を図面に基づいて詳細に説明する。
本発明に係るリモコンシステムは、風呂機能を備えた給湯装置の遠隔操作に用いられるリモコンシステムであって、図１に示すように、給湯装置１と、台所など浴室以外の場所に設置される台所リモコン（１のリモコン）２と、浴室に設置される風呂リモコン（他のリモコン）３とを主要部として構成されている。
【００２４】
ここで、これら台所リモコン２と風呂リモコン３は、給湯装置１を介して通信接続されている。具体的には、各リモコン２，３に接続される２芯の通信ケーブル４が給湯装置１の端子台（図示せず）などを介して相互に接続されることによって、台所リモコン２と風呂リモコン３とが通信接続されている。
【００２５】
そして、この図１に示すリモコンシステムは、後述するように、台所リモコン２と風呂リモコン３との間で音声通話ができる機能（音声通話機能）と、この音声通話機能を利用して、台所リモコン２に接続した音楽プレーヤ（音楽再生装置）５から出力されるオーディオ信号を風呂リモコン３のスピーカを通じて出力できるようにしたＢＧＭ機能とを備えて構成されている。
【００２６】
そこで、以下においては、これらの機能を中心に本発明のリモコンシステムの構成を図２に基づいて説明する。なお、説明にあたり、台所リモコン２と風呂リモコン３とに共通する構成については同一の符号を付して重複する説明は省略する（ただし、同一の構成であっても、説明の便宜上両者を区別する必要があるときには、台所リモコン２の構成部品には符号の末尾に「ａ」を、また、風呂リモコン３の構成部品には符号の末尾に「ｂ」をそれぞれ付して両者を区別する）。
【００２７】
台所リモコン２および風呂リモコン３は、いずれも給湯装置の遠隔操作のために設けられた遠隔操作装置であって、制御中枢としてのマイコン６と、該マイコン６が給湯装置や他のリモコンとの間で制御信号を送受信するための給湯２芯通信回路７と、上述した音声通話機能ならびにＢＧＭ機能を実現するためのインターホン通信回路８とを主要部として備えている。
【００２８】
上記マイコン６は、各リモコン２，３において、給湯装置１の遠隔操作機能、音声通話機能、ＢＧＭ機能などの各種機能を実現するために必要なデータの記憶やプログラムの処理などを行う制御手段であって、周知のとおり、ＣＰＵ，ＲＯＭ，ＲＡＭなどを主要部として構成されている。
【００２９】
給湯２芯通信回路７は、上記マイコン６が上記通信ケーブル４を介して給湯装置１や他のリモコン２または３との間で制御信号を送受信するために設けられた通信手段である。すなわち、この給湯２芯通信回路７が設けられることによって、台所リモコン２のマイコン６ａは図示しない給湯装置１のコントローラ（制御部）や風呂リモコン３のマイコン６ｂと制御信号のやり取りができるようになっており、また同様に、風呂リモコン３のマイコン６ｂも図示しない給湯装置１のコントローラや台所リモコン２のマイコン６ａと制御信号のやり取りができるようになっている。
【００３０】
インターホン通信回路８は、台所リモコン２と風呂リモコン３との間で音声通話を行うために設けられた通信手段であって、このインターホン通信回路８には、音声通話時に音声を入力するためのマイク９と、マイク９で電気信号に変換された音声信号を増幅するマイクアンプ１０と、マイクアンプ１０で増幅された音声信号を周波数変調して通信ケーブル４に供給するＦＭ波発振回路１１と、通信ケーブル４を介して受信した変調信号から雑音を除去するフィルタ１２と、受信した変調信号を復調するＦＭ検波回路１３と、ＦＭ検波回路１３で復調された音声信号を増幅するスピーカアンプ１４と、スピーカアンプ１４で増幅された音声信号を外部に聴取可能な音響として出力するスピーカ１５と、音声信号の送受信（送話と受話）を切り替える通話切替回路１６とを主要部として備えている。
【００３１】
すなわち、台所リモコン２および風呂リモコン３は、このようなインターホン通信回路８を備えることにより、たとえば、台所リモコン２から風呂リモコン３に対して通話を行う場合、図示しない台所リモコン２の通話スイッチの操作などによって上記通話切替回路１６ａが送信動作に切り替わり、これによってマイク９ａ、マイクアンプ１０ａを介して入力される音声信号がＦＭ波発振回路１１ａで周波数変調されて通信ケーブル４を通じて風呂リモコン３に送信される。そして、風呂リモコン３では、通信ケーブル４を介して変調信号を受信すると、その信号はフィルタ１２ｂで雑音が除去された後にＦＭ検波回路１３ｂで復調されて音声信号となって通話切替回路１６ｂに供給される。このとき通話切替回路１６ｂは受信動作となっており、復調された音声信号はスピーカアンプ１４ｂで所定の音量となるように増幅されてスピーカ１５ｂに供給され、スピーカ１５ｂから聴取可能な音響として外部に出力される。
【００３２】
なお、このときにスピーカ１５ｂから出力される音量は、スピーカアンプ１４ｂでのボリューム設定によって決定されるが、本実施形態に示す各リモコン２，３のスピーカアンプ１４は、部品コストの上昇を抑えるために、ボリューム設定は消音を含めて４段階（具体的には、消音、音量小、音量中、音量大の４段階）に設定可能とされており、ユーザによってこの４段階のいずれかに設定されるようになっている。
【００３３】
一方、風呂リモコン３から台所リモコン２に対して通話を行う場合には、上述した経路とは逆の通信経路、すなわち、マイク９ｂから入力される音声信号がＦＭ波発振回路１１ｂで周波数変調されて台所リモコン２に送信され、台所リモコン２では、受信された変調信号がＦＭ検波回路１３ａで復調されて、スピーカアンプ１４ａを介してスピーカ１５ａから聴取可能な音響として外部に出力される。
【００３４】
そして、本実施形態に示すリモコンシステムでは、このような音声通話機能を利用して上述したＢＧＭ機能を実現するために、台所リモコン２には音楽プレーヤ５から出力されるオーディオ信号を入力するための音楽入力端子１７が備えられている。なお、この音楽入力端子１７は、ＢＧＭ機能の性格上、台所リモコン２にのみ設けられており、風呂リモコン３には備えられていない。
【００３５】
ここで、このＢＧＭ機能に用いられる音楽プレーヤ５としては、たとえば、デジタルオーディオプレーヤやＣＤプレーヤなどの各種音楽再生装置が用いられる。そして、上記音楽入力端子１７には、これら音楽再生装置において音量調節ができるようになっているオーディオ信号（たとえば、ヘッドホン出力）を入力するようになっており、そのため、台所リモコン２に設けられる上記音楽入力端子１７としては、このようなオーディオ信号の入力に適した端子、たとえばフォンジャックが採用されている。
【００３６】
この音楽入力端子１７に入力されるオーディオ信号は、図２に示すように、上記インターホン通信回路８ａの通話切替回路１６ａに入力される。音楽プレーヤ５から出力されるオーディオ信号を風呂リモコン３に送信する際には、通話切替回路１６ａが上述した音声通話時の音声送信と同様の処理を行ってオーディオ信号を風呂リモコン３に送信するようになっている。つまり、通話切替回路１６ａに入力されたオーディオ信号は、ＦＭ波発振回路１１ａで周波数変調されて風呂リモコン３に送信され、風呂リモコン３のＦＭ検波回路１３ｂで復調されてスピーカアンプ１４ｂで設定された音量に増幅されてスピーカ１５ｂから出力されるようになっている。
【００３７】
図３は、この音楽入力端子１７とインターホン通信回路８ａの接続例を示している。
この図３に示すように、音楽入力端子１７は、図示しないフォンプラグとの接点として３つのピン２１〜２３を備えている。このうち、ピン２１は、制御端子（ゲート端子）がマイコン６ａに接続されたＦＥＴ２４を介して台所リモコン２のインターホン通信回路８ａに接続されている。また、ピン２２は、台所リモコン２のマイコン６ａと接続されている。ピン２３は接地されており、音楽入力端子１７にフォンプラグが挿入されるとピン２２と導通してピン２２を接地するようになっている。なお、上記ピン２１は、上記インターホン通信回路８ａとは別に、制御端子（ゲート端子）がマイコン６ａに接続されたＦＥＴ２５を介して台所リモコン２のスピーカ１５（スピーカアンプ１４ａ）にも接続されている。つまり、台所リモコン２のマイコン６ａが上記ＦＥＴ２４をオンに制御すると、音楽入力端子１７に入力されるオーディオ信号がインターホン通信回路８ａに入力されるようになっており、また、ＦＥＴ２５をオンに制御すると、音楽入力端子１７に入力されるオーディオ信号がスピーカ１５ａに入力されるようになっている。
【００３８】
そして、本実施形態では、音楽プレーヤ５が接続される台所リモコン２の正面パネルには開閉自在に設けられた隠し蓋２ａが備えられており（図１参照）、この隠し蓋２ａの下に図示しない押しボタン式の操作スイッチ（隠しスイッチ）が備えられている。すなわち、普段操作することの少ない操作スイッチなどがこの隠し蓋２ａによって隠されている。
【００３９】
そして、この隠し蓋２ａに関連して、台所リモコン２には、隠し蓋２ａの開閉を検知する蓋開閉検知手段１８が備えられている（図２参照）。この蓋開閉検知手段１８は、磁気センサ（図示せず）を用いて、上記隠し蓋２ａが開状態または閉状態のいずれの状態にあるかを検知するように構成されており、その検知信号は台所リモコン２のマイコン６ａに入力されるようになっている（図３参照）。
【００４０】
しかして、このように構成されたリモコンシステムにおいて、本実施形態では、ＢＧＭ機能に関して、音楽プレーヤ５で音楽再生中に台所リモコン２の隠し蓋２が開かれると、風呂リモコン３のスピーカ１５ｂからの音楽出力を停止するようになっている。以下、その動作について、図４を参照しながら説明する。
【００４１】
図４は、台所リモコン２のマイコン６ａにおけるＢＧＭ機能の処理手順を示している。
この図４に示すように、台所リモコン２のマイコン６ａは、ＢＧＭ機能の実行にあたり、まず、台所リモコン２に備えられた音楽入力端子１７に、音楽プレーヤ５から出力されるオーディオ信号を入力するためのフォンプラグ（図示せず）が挿入されたか否かを判断する（図４ステップＳ１参照）。
【００４２】
この判断は、上述したように音楽入力端子１７にフォンプラグが接続されると、音楽入力端子１７のピン２２がピン２３と導通してグランドレベルになるので、それをマイコン６ａが検出することによって判断する。
【００４３】
そして、音楽入力端子１７に音楽プレーヤ５が接続されると（プラグの挿入をマイコン６ａが検知すると）、マイコン６ａは、音楽プレーヤ５から音楽入力端子１７に入力されるオーディオ信号を風呂リモコン３に送信するＢＧＭモードを開始する（図４ステップＳ２参照）。
【００４４】
すなわち、マイコン６ａは、上記ＦＥＴ２４をオンさせて、音楽入力端子１７に入力されるオーディオ信号がインターホン通信回路８ａに入力されるようにする。これにより、インターホン通信回路８ａが動作して、上述した手順でオーディオ信号が風呂リモコン３に送信され、風呂リモコン３のスピーカ１５ｂから音楽プレーヤ５で再生された音楽が聴取可能に出力されることとなる。
【００４５】
なお、このＢＧＭモードでは、音楽プレーヤ５から入力される音楽を台所リモコン２のスピーカ１５ａからも出力できるようになっており、ＢＧＭモードの設定において、ＢＧＭモード時に台所リモコン２のスピーカ１５ａで音楽プレーヤ５で再生される音楽を聴くように設定されている場合には、マイコン６ａは、上記ＦＥＴ２５をオンさせて、台所リモコン２のスピーカ１５ａから音楽が出力されるようにする。
【００４６】
このようにして、マイコン６ａがＢＧＭモードに移行すると、次に、マイコン６ａは、上記蓋開閉検知手段１８から上記隠し蓋２ａの開状態を示す信号が検知されるか否かを判断し（図４ステップＳ３参照）、隠し蓋２ａが開かれたこと（隠し蓋２ａの開状態）を検知すると、ＢＧＭモードを停止させる（図４ステップＳ４参照）。
【００４７】
ここで、ＢＧＭモード時に台所リモコン２の隠し蓋２ａが開かれるとＢＧＭモードを停止するようにしているのは、隠し蓋２ａが開かれると、それに続いて隠し蓋２ａの下に隠された操作スイッチが押下げ操作される可能性が高い一方で、操作スイッチの押下げ操作がなされると、それによって台所リモコン２の筐体がたわんで音楽入力端子１７のプラグとジャックの結合がズレたり緩んだりし、その結果、オーディオ信号にノイズが乗って風呂リモコン３のスピーカ１５ｂから出力される音楽に不快な雑音が混ざることがあるので、そのような雑音が混じった音がスピーカ１５ｂから出力されないようにするためである。
【００４８】
このＢＧＭモードの停止は、台所リモコン２のマイコン６ａが、上記ＢＧＭモードの設定に応じて、上記ＦＥＴ２４および／またはＦＥＴ２５をオフにすることにより行われる。すなわち、ＢＧＭモードの設定が、浴室リモコン３での音楽聴取に設定されている場合、台所リモコン２のマイコン６ａは上記ＦＥＴ２４をオフに制御して、音楽プレーヤ５から音楽入力端子１７に供給されたオーディオ信号がインターホン通信回路８ａに入力されないようにオーディオ信号を遮断する。一方、ＢＧＭモードの設定が、台所リモコン２での音楽聴取に設定されている場合には、台所リモコン２のマイコン６ａは上記ＦＥＴ２５をオフに制御して、音楽プレーヤ５から音楽入力端子１７に供給されたオーディオ信号が台所リモコン２のマイクアンプ９ａに入力されないようにオーディオ信号を遮断する。つまり、本実施形態では、これらＦＥＴ２４，２５が、スピーカ１５からのオーディオ信号の出力を停止させるための手段、すなわち、オーディオ信号を遮断する信号遮断手段として機能するようになっている。
【００４９】
なお、スピーカ１５からオーディオ信号が出力されるのを停止させる方法としては、このようにオーディオ信号の信号経路を遮断する方法のほか、たとえば、スピーカアンプ１４を停止させたり、あるいは、スピーカアンプ１４のボリューム設定を消音にするなど、適宜他の方法を採用することができる。その際、風呂リモコン３側での処理が必要な場合には、台所リモコン２のマイコン６ａと風呂リモコン３のマイコン６ｂとが制御信号をやり取りして、風呂リモコン３側での必要な処理の実行を命ずるように構成される。
【００５０】
このようにしてＢＧＭモードを停止すると、このＢＧＭモードの停止期間中、台所リモコン２のマイコン６ａは、上記蓋開閉検知手段１８から上記隠し蓋２ａの閉状態が検知されていないか否かを判断する（図４ステップＳ５参照）。
【００５１】
そして、隠し蓋２ａが閉じられたこと（隠し蓋２ａの閉状態）を検知すると（図４ステップＳ５が「Ｎｏ」の場合）、マイコン６ａはＢＧＭモードの停止を解除して、ＢＧＭモードを再開させる（図４ステップＳ２参照）。つまり、隠し蓋２ａが閉じられると、隠し蓋２ａの下に隠された操作スイッチが操作されることがないので、ＢＧＭモードを再開する。
【００５２】
具体的には、停止したＢＧＭモードの設定が、浴室リモコン３での音楽聴取に設定されていた場合、台所リモコン２のマイコン６ａは上記ＦＥＴ２４をオンに制御して、音楽プレーヤ５から音楽入力端子１７に供給されたオーディオ信号をインターホン通信回路８ａに入力する。一方、停止したＢＧＭモードの設定が、台所リモコン２での音楽聴取に設定されていた場合には、台所リモコン２のマイコン６ａは上記ＦＥＴ２５をオンに制御して、音楽プレーヤ５から音楽入力端子１７に供給されたオーディオ信号を台所リモコン２のマイクアンプ９ａに入力する。
【００５３】
なお、このＢＧＭモードの再開によって再び音楽プレーヤ５で再生された音楽がスピーカ１５から出力されることになるが、ＢＧＭモード停止期間中も音楽プレーヤ５での音楽再生自体は継続しているので、ＢＧＭモード再開時に流れる音楽は、ＢＧＭモード停止前の音楽とは連続したものにはならない。
【００５４】
一方、蓋開閉検知手段１８が隠し蓋２ａの閉状態を検知しない場合（図４ステップＳ５が「Ｙｅｓ」の場合）、マイコン６ａは、この状態が所定時間（たとえば、１分）を経過しても継続しているか否かを判断し（図４ステップＳ６参照）、この状態が所定時間を超えて継続する場合（図４ステップＳ６が「Ｙｅｓ」の場合）には、隠し蓋２ａの閉め忘れとみなして、マイコン６ａは上述した隠し蓋２ａの閉状態検知の場合と同様に、ＢＧＭモードの停止を解除して、ＢＧＭモードを再開させる（図４ステップＳ２参照）。
【００５５】
このように、本実施形態に示すリモコンシステムでは、音楽プレーヤ５が接続される台所リモコン２において、ＢＧＭモードにあるときに、操作スイッチを隠す隠し蓋２ａが開かれたことが検知されると、その時点で、風呂リモコン３のスピーカ１５ｂからのオーディオ信号の出力（音楽の出力）が停止されるので、隠し蓋２ａの下の操作スイッチが操作されても、ユーザは雑音が混じった不快な音を聞かなくてすみ、音楽プレーヤ５で再生される音楽を気持ちよく聴取することができる。
【００５６】
しかも、隠し蓋２ａが開かれたことによってスピーカ１５からの音楽の出力が停止している状態で、隠し蓋２ａが閉じられると（あるいは、閉じ忘れで所定時間を超えて放置されると）、スピーカ１５からの音楽の出力が自動的に再開されるので、ユーザはわざわざＢＧＭモードを再開させる操作をすることなく、音楽を楽しむことができる。
【００５７】
なお、上述した実施形態は本発明の好適な実施態様を示すものであって、本発明はこれらに限定されることなく発明の範囲内で種々の設計変更が可能である。
【００５８】
たとえば、上述した実施形態では、隠し蓋２ａの開閉を検知する蓋開閉検知手段１８に磁気センサを用いた場合を示したが、蓋開閉検知手段１８は隠し蓋２ａの開閉が検知できるものであれば他のセンサ類を用いることも可能である。
【００５９】
また、上述した実施形態では、ＢＧＭモード停止期間中も音楽プレーヤ５は音楽の再生を継続するように構成したが、たとえば、ＢＧＭモードの停止に伴って台所リモコン２から音楽プレーヤ５に対して音楽再生の一時停止を指令する一時停止信号を送信するように構成しておくこともできる。すなわち、この場合、台所リモコン２のマイコン６ａは、ＢＧＭモード中に上記蓋開閉検知手段１８が隠し蓋２ａの開状態を検知したときには、音楽プレーヤ５に対して上記一時停止信号を送信し音楽プレーヤ５での音楽再生を停止させる一方、その後に隠し蓋２ａの閉状態を検知したり、開状態が上記所定時間を超えて継続した場合には、音楽プレーヤ５に対して一時停止信号の解除信号を送信して、音楽プレーヤ５での音楽再生を再開させるように構成される。これにより、ＢＧＭモードを再開したときに流れる音楽はＢＧＭモード停止の前の音楽と連続するようになり、ＢＧＭモードの停止によって聴取中の楽曲が飛んでしまうことを防止することができる。
【００６０】
また、上述した実施形態では、ＢＧＭモード停止期間中に、上記蓋開閉検知手段１８が隠し蓋２ａの閉状態を検知しない状態が所定時間を超えて継続した場合に、マイコン６ａがＢＧＭモードの停止を解除するように構成した場合を示したが、この点については、たとえば、ＢＧＭモード停止期間中に、隠し蓋２ａによって隠された操作スイッチのいずれもが操作されない無操作状態が所定時間（たとえば、１分）を超えた場合にマイコン６ａがＢＧＭモードの停止を解除して、ＢＧＭモードを再開させるように構成することも可能である。
【００６１】
また、上述した実施形態では、インターホン通信回路８は、音声信号や音楽の信号を周波数変調して送受信する通信回路で構成される場合を示したが、音声通話機能やＢＧＭ機能における通信方式は周波数変調に限られず適宜設計変更可能である。
【符号の説明】
【００６２】
１                給湯装置
２                台所リモコン（１のリモコン）
３                風呂リモコン（他のリモコン）
４                通信ケーブル
５                音楽プレーヤ（音楽再生装置）
６                マイコン
７                給湯２芯通信回路
８                インターホン通信回路
９                マイク
１５              スピーカ
１７              音楽入力端子
１８              蓋開閉検知手段
２４，２５        ＦＥＴ（信号遮断手段）
【図１】
0005708304.tif 000002
【図２】
0005708304.tif 000003
【図３】
0005708304.tif 000004
【図４】
0005708304.tif 000005